(57)【特許請求の範囲】
【請求項１】
加熱量を多位置制御する吸収式冷温水機（１）を複数台互いに並列に設け、全ての吸収式冷温水機（１）から送出される冷媒を出口集合部（３２）により合流させて冷媒利用空間に供給し、冷媒利用空間において利用された冷媒を入口集合部（３１）により分流させて各吸収式冷温水機（１）に供給するよう構成するとともに、出口集合部（３２）における冷媒の温度を入力として台数制御器（４）により各吸収式冷温水機（１）を制御するようにしたシステムにおいて、
複数台の吸収式冷温水機（１）を運転すべきことが指示されたことに応答して、出口集合部（３２）における冷媒の温度が中負荷以下に対応している場合に、台数制御器（４）により一部の吸収式冷温水機（１）の加熱源（１６）に対して加熱量を特定の加熱量に限定することなく動作すべきことを指示し、台数制御器（４）により残余の吸収式冷温水機（１）の加熱源（１６）に対して低い加熱量で動作すべきことを指示し、出口集合部（３２）における冷媒の温度が中負荷以上に対応している場合に、台数制御器（４）により一部の吸収式冷温水機（１）の加熱源（１６）に対して加熱量を特定の加熱量に限定することなく動作すべきことを指示し、台数制御器（４）により残余の吸収式冷温水機（１）のうち少なくとも１台の吸収式冷温水機（１）の加熱源（１６）に対して高い加熱量で動作すべきことを指示することを特徴とする吸収式冷温水機の複数台運転制御方法。
【請求項２】
加熱量を多位置制御する吸収式冷温水機（１）を複数台互いに並列に設け、全ての吸収式冷温水機（１）から送出される冷媒を出口集合部（３２）により合流させて冷媒利用空間に供給し、冷媒利用空間において利用された冷媒を入口集合部（３１）により分流させて各吸収式冷温水機（１）に供給するよう構成するとともに、出口集合部（３２）における冷媒の温度を入力として台数制御器（４）により各吸収式冷温水機（１）を制御するようにしたシステムにおいて、
複数台の吸収式冷温水機（１）を運転すべきことが指示されたことに応答して、出口集合部（３２）における冷媒の温度が中負荷以下に対応している場合に、台数制御器（４）により一部の吸収式冷温水機（１）の加熱源（１６）に対して高い加熱量と低い加熱量とを切り替えて動作すべきことを指示し、台数制御器（４）により残余の吸収式冷温水機（１）の加熱源（１６）に対して低い加熱量で動作すべきことを指示し、出口集合部（３２）における冷媒の温度が中負荷以上に対応している場合に、台数制御器（４）により一部の吸収式冷温水機（１）の加熱源（１６）に対して高い加熱量と低い加熱量とを切り替えて動作すべきことを指示し、台数制御器（４）により残余の吸収式冷温水機（１）の加熱源（１６）に対して高い加熱量で動作すべきことを指示することを特徴とする吸収式冷温水機の複数台運転制御方法。
【請求項３】
１台の吸収式冷温水機（１）を運転すべきことが指示されたことに応答して、台数制御器（４）により該当する吸収式冷温水機（１）の加熱源（１６）に対して加熱量を特定の加熱量に限定することなく動作すべきことを指示する請求項１または請求項２に記載の吸収式冷温水機の複数台運転制御方法。
【請求項４】
加熱量を多位置制御する吸収式冷温水機（１）を複数台互いに並列に設け、全ての吸収式冷温水機（１）から送出される冷媒を出口集合部（３２）により合流させて冷媒利用空間に供給し、冷媒利用空間において利用された冷媒を入口集合部（３１）により分流させて各吸収式冷温水機（１）に供給するよう構成するとともに、出口集合部（３２）における冷媒の温度を入力として台数制御器（４）により各吸収式冷温水機（１）を制御するようにしたシステムにおいて、
複数台の吸収式冷温水機（１）を運転すべきことが指示されたことに応答して、出口集合部（３２）における冷媒の温度が中負荷以下に対応している場合に、台数制御器（４）により一部の吸収式冷温水機（１）の加熱源（１６）に対して加熱量を特定の加熱量に限定することなく動作すべきことを指示し、台数制御器（４）により残余の吸収式冷温水機（１）の加熱源（１６）に対して低い加熱量で動作すべきことを指示し、出口集合部（３２）における冷媒の温度が中負荷以上に対応している場合に、台数制御器（４）により一部の吸収式冷温水機（１）の加熱源（１６）に対して加熱量を特定の加熱量に限定することなく動作すべきことを指示し、台数制御器（４）により残余の吸収式冷温水機（１）のうち少なくとも１台の吸収式冷温水機（１）の加熱源（１６）に対して高い加熱量で動作すべきことを指示させる加熱量指示手段（４）を含むことを特徴とする吸収式冷温水機の複数台運転制御装置。
【請求項５】
加熱量を多位置制御する吸収式冷温水機（１）を複数台互いに並列に設け、全ての吸収式冷温水機（１）から送出される冷媒を出口集合部（３２）により合流させて冷媒利用空間に供給し、冷媒利用空間において利用された冷媒を入口集合部（３１）により分流させて各吸収式冷温水機（１）に供給するよう構成するとともに、出口集合部（３２）における冷媒の温度を入力として台数制御器（４）により各吸収式冷温水機（１）を制御するようにしたシステムにおいて、
複数台の吸収式冷温水機（１）を運転すべきことが指示されたことに応答して、出口集合部（３２）における冷媒の温度が中負荷以下に対応している場合に、台数制御器（４）により一部の吸収式冷温水機（１）の加熱源（１６）に対して高い加熱量と低い加熱量とを切り替えて動作すべきことを指示し、台数制御器（４）により残余の吸収式冷温水機（１）の加熱源（１６）に対して低い加熱量で動作すべきことを指示し、出口集合部（３２）における冷媒の温度が中負荷以上に対応している場合に、台数制御器（４）により一部の吸収式冷温水機（１）の加熱源（１６）に対して高い加熱量と低い加熱量とを切り替えて動作すべきことを指示し、台数制御器（４）により残余の吸収式冷温水機（１）の加熱源（１６）に対して高い加熱量で動作すべきことを指示させる加熱量指示手段（４）を含むことを特徴とする吸収式冷温水機の複数台運転制御装置。
【請求項６】
加熱量指示手段（４）は、１台の吸収式冷温水機（１）を運転すべきことが指示されたことに応答して、台数制御器（４）により該当する吸収式冷温水機（１）の加熱源（１６）に対して加熱量を特定の加熱量に限定することなく動作すべきことを指示するものである請求項４または請求項５に記載の吸収式冷温水機の複数台運転制御装置。
【発明の詳細な説明】
【０００１】
【発明の属する技術分野】
この発明は吸収式冷温水機の複数台運転制御方法およびその装置に関し、さらに詳細にいえば、加熱量を多位置制御する吸収式冷温水機を複数台互いに並列に設け、全ての吸収式冷温水機から送出される冷媒を出口集合部により合流させて冷媒利用空間に供給し、冷媒利用空間において利用された冷媒を入口集合部により分流させて各吸収式冷温水機に供給するよう構成するとともに、出口集合部における冷媒の温度を入力として台数制御器により各吸収式冷温水機を制御するようにしたシステムに適用される吸収式冷温水機の複数台運転制御方法およびその装置に関する。
【０００２】
【従来の技術】
従来から、容量を増加させるべく、加熱量を多位置制御する吸収式冷温水機を複数台互いに並列に設け、全ての吸収式冷温水機から送出される冷温水を出口集合部により合流させて冷温水利用空間に供給し、冷温水利用空間において利用された冷温水を入口集合部により分流させて各吸収式冷温水機に供給するよう構成するとともに、出口集合部における冷温水の温度を入力として台数制御器により各吸収式冷温水機を制御するようにしたシステムが提供されている。
【０００３】
このシステムにおいては、各吸収式冷温水機の加熱制御弁を互いに同期して制御している（図１０参照）。したがって、負荷の多少に対応させて、各吸収式冷温水機の加熱制御弁を互いに同期して制御することにより、システムの能力を負荷に対応させることができる。
【０００４】
【発明が解決しようとする課題】
上記の複数台運転制御方法を採用した場合には、全ての吸収式冷温水機の加熱源が同時に同様に制御されるので、例えば、低負荷時には、加熱源が低い加熱量での動作と加熱停止とを反復する（発停を繰り返す）ことになり、パージ（燃焼部の空気の排出）によるロスが大きく無駄が多い運転になるとともに、頻繁な燃焼弁操作により加熱量制御弁が劣化するという不都合がある。また、吸収式冷温水機を複数台設置した場合には多位置制御の熱源１台と見做して（例えば、３位置制御の吸収式冷温水機が３台の場合には、７位置制御の吸収式冷温水機１台に相当する）冷温水出口集合部の温度の安定性を向上できるが、そのメリットを有効に活用することができないという不都合もある。
【０００５】
このような点を考慮して、従来から、各加熱源の冷温水出口温度の設定値を互いにずらせることにより加熱制御弁どうしの同期を防止する方法が知られている（図１１参照）。しかし、この方法を採用した場合には、冷温水出口集合部の温度の変動幅が大きくなってしまい、冷温水出口制御部の温度の制御性が悪化するという不都合がある。
【０００６】
【発明の目的】
この発明は上記の問題点に鑑みてなされたものであり、冷媒出口温度の変動幅を大きくすることなく加熱制御弁の同期を防止することができ、しかも、全体で多位置と見做した制御を可能とし、冷媒出口集合部の温度制御性を向上させるとともに、省エネルギー運転を実現することができる吸収式冷温水機の複数台運転制御方法およびその装置を提供することを目的としている。
【０００７】
【課題を解決するための手段】
請求項１の吸収式冷温水機の複数台運転制御方法は、加熱量を多位置制御する吸収式冷温水機を複数台互いに並列に設け、全ての吸収式冷温水機から送出される冷媒を出口集合部により合流させて冷媒利用空間に供給し、冷媒利用空間において利用された冷媒を入口集合部により分流させて各吸収式冷温水機に供給するよう構成するとともに、出口集合部における冷媒の温度を入力として台数制御器により各吸収式冷温水機を制御するようにしたシステムにおいて、
複数台の吸収式冷温水機を運転すべきことが指示されたことに応答して、出口集合部における冷媒の温度が中負荷以下に対応している場合に、台数制御器により一部の吸収式冷温水機の加熱源に対して加熱量を特定の加熱量に限定することなく動作すべきことを指示し、台数制御器により残余の吸収式冷温水機の加熱源に対して低い加熱量で動作すべきことを指示し、出口集合部における冷媒の温度が中負荷以上に対応している場合に、台数制御器により一部の吸収式冷温水機の加熱源に対して加熱量を特定の加熱量に限定することなく動作すべきことを指示し、台数制御器により残余の吸収式冷温水機のうち少なくとも１台の吸収式冷温水機の加熱源に対して高い加熱量で動作すべきことを指示する方法である。
【０００８】
請求項２の吸収式冷温水機の複数台運転制御方法は、加熱量を多位置制御する吸収式冷温水機を複数台互いに並列に設け、全ての吸収式冷温水機から送出される冷媒を出口集合部により合流させて冷媒利用空間に供給し、冷媒利用空間において利用された冷媒を入口集合部により分流させて各吸収式冷温水機に供給するよう構成するとともに、出口集合部における冷媒の温度を入力として台数制御器により各吸収式冷温水機を制御するようにしたシステムにおいて、
複数台の吸収式冷温水機を運転すべきことが指示されたことに応答して、出口集合部における冷媒の温度が中負荷以下に対応している場合に、台数制御器により一部の吸収式冷温水機の加熱源に対して高い加熱量と低い加熱量とを切り替えて動作すべきことを指示し、台数制御器により残余の吸収式冷温水機の加熱源に対して低い加熱量で動作すべきことを指示し、出口集合部における冷媒の温度が中負荷以上に対応している場合に、台数制御器により一部の吸収式冷温水機の加熱源に対して高い加熱量と低い加熱量とを切り替えて動作すべきことを指示し、台数制御器により残余の吸収式冷温水機の加熱源に対して高い加熱量で動作すべきことを指示する方法である。
請求項３の吸収式冷温水機の複数台運転制御方法は、１台の吸収式冷温水機を運転すべきことが指示されたことに応答して、台数制御器により該当する吸収式冷温水機の加熱源に対して加熱量を特定の加熱量に限定することなく動作すべきことを指示する方法である。
【００１０】
請求項４の吸収式冷温水機の複数台運転制御装置は、加熱量を多位置制御する吸収式冷温水機を複数台互いに並列に設け、全ての吸収式冷温水機から送出される冷媒を出口集合部により合流させて冷媒利用空間に供給し、冷媒利用空間において利用された冷媒を入口集合部により分流させて各吸収式冷温水機に供給するよう構成するとともに、出口集合部における冷媒の温度を入力として台数制御器により各吸収式冷温水機を制御するようにしたシステムにおいて、
複数台の吸収式冷温水機を運転すべきことが指示されたことに応答して、出口集合部における冷媒の温度が中負荷以下に対応している場合に、台数制御器により一部の吸収式冷温水機の加熱源に対して加熱量を特定の加熱量に限定することなく動作すべきことを指示し、台数制御器により残余の吸収式冷温水機の加熱源に対して低い加熱量で動作すべきことを指示し、出口集合部における冷媒の温度が中負荷以上に対応している場合に、台数制御器により一部の吸収式冷温水機の加熱源に対して加熱量を特定の加熱量に限定することなく動作すべきことを指示し、台数制御器により残余の吸収式冷温水機のうち少なくとも１台の吸収式冷温水機の加熱源に対して高い加熱量で動作すべきことを指示させる加熱量指示手段を含むものである。
【００１１】
請求項５の吸収式冷温水機の複数台運転制御装置は、加熱量を多位置制御する吸収式冷温水機（１）を複数台互いに並列に設け、全ての吸収式冷温水機（１）から送出される冷媒を出口集合部（３２）により合流させて冷媒利用空間に供給し、冷媒利用空間において利用された冷媒を入口集合部（３１）により分流させて各吸収式冷温水機（１）に供給するよう構成するとともに、出口集合部（３２）における冷媒の温度を入力として台数制御器（４）により各吸収式冷温水機（１）を制御するようにしたシステムにおいて、
複数台の吸収式冷温水機（１）を運転すべきことが指示されたことに応答して、出口集合部（３２）における冷媒の温度が中負荷以下に対応している場合に、台数制御器（４）により一部の吸収式冷温水機（１）の加熱源（１６）に対して高い加熱量と低い加熱量とを切り替えて動作すべきことを指示し、台数制御器（４）により残余の吸収式冷温水機（１）の加熱源（１６）に対して低い加熱量で動作すべきことを指示し、出口集合部（３２）における冷媒の温度が中負荷以上に対応している場合に、台数制御器（４）により一部の吸収式冷温水機（１）の加熱源（１６）に対して高い加熱量と低い加熱量とを切り替えて動作すべきことを指示し、台数制御器（４）により残余の吸収式冷温水機（１）の加熱源（１６）に対して高い加熱量で動作すべきことを指示させる加熱量指示手段（４）を含むものである。
請求項６の吸収式冷温水機の複数台運転制御装置は、加熱量指示手段として、１台の吸収式冷温水機を運転すべきことが指示されたことに応答して、台数制御器により該当する吸収式冷温水機の加熱源に対して加熱量を特定の加熱量に限定することなく動作すべきことを指示するものを採用するものである。
【００１３】
【作用】
請求項１の吸収式冷温水機の複数台運転制御方法であれば、加熱量を多位置制御する吸収式冷温水機を複数台互いに並列に設け、全ての吸収式冷温水機から送出される冷媒を出口集合部により合流させて冷媒利用空間に供給し、冷媒利用空間において利用された冷媒を入口集合部により分流させて各吸収式冷温水機に供給するよう構成するとともに、出口集合部における冷媒の温度を入力として台数制御器により各吸収式冷温水機を制御するようにしたシステムにおいて、
複数台の吸収式冷温水機を運転すべきことが指示されたことに応答して、出口集合部における冷媒の温度が中負荷以下に対応している場合に、台数制御器により一部の吸収式冷温水機の加熱源に対して加熱量を特定の加熱量に限定することなく動作すべきことを指示し、台数制御器により残余の吸収式冷温水機の加熱源に対して低い加熱量で動作すべきことを指示し、出口集合部における冷媒の温度が中負荷以上に対応している場合に、台数制御器により一部の吸収式冷温水機の加熱源に対して加熱量を特定の加熱量に限定することなく動作すべきことを指示し、台数制御器により残余の吸収式冷温水機のうち少なくとも１台の吸収式冷温水機の加熱源に対して高い加熱量で動作すべきことを指示するのであるから、出口集合部における冷媒の温度の安定性を高めることができるとともに、出口集合部における冷媒の温度の変動幅の拡大を防止することができ、さらに、省エネルギー運転を実現することができ、しかも、吸収式冷温水機の部分負荷効率のよさを活かしてさらなる省エネルギー運転を実現することができる。
【００１４】
請求項２の吸収式冷温水機の複数台運転制御方法であれば、加熱量を多位置制御する吸収式冷温水機を複数台互いに並列に設け、全ての吸収式冷温水機から送出される冷媒を出口集合部により合流させて冷媒利用空間に供給し、冷媒利用空間において利用された冷媒を入口集合部により分流させて各吸収式冷温水機に供給するよう構成するとともに、出口集合部における冷媒の温度を入力として台数制御器により各吸収式冷温水機を制御するようにしたシステムにおいて、
複数台の吸収式冷温水機を運転すべきことが指示されたことに応答して、出口集合部における冷媒の温度が中負荷以下に対応している場合に、台数制御器により一部の吸収式冷温水機の加熱源に対して高い加熱量と低い加熱量とを切り替えて動作すべきことを指示し、台数制御器により残余の吸収式冷温水機の加熱源に対して低い加熱量で動作すべきことを指示し、出口集合部における冷媒の温度が中負荷以上に対応している場合に、台数制御器により一部の吸収式冷温水機の加熱源に対して高い加熱量と低い加熱量とを切り替えて動作すべきことを指示し、台数制御器により残余の吸収式冷温水機の加熱源に対して高い加熱量で動作すべきことを指示するのであるから、出口集合部における冷媒の温度の安定性を高めることができるとともに、出口集合部における冷媒の温度の変動幅の拡大を防止することができ、さらに、省エネルギー運転を実現することができ、しかも、運転−停止回数を低減し、パージロスを大幅に低減してさらなる省エネルギー運転を実現することができる。
請求項３の吸収式冷温水機の複数台運転制御方法であれば、１台の吸収式冷温水機を運転すべきことが指示されたことに応答して、台数制御器により該当する吸収式冷温水機の加熱源に対して加熱量を特定の加熱量に限定することなく動作すべきことを指示するのであるから、最小限の吸収式冷温水機のみを運転することにより、出口集合部における冷媒の温度の安定性を高めることができるとともに、出口集合部における冷媒の温度の変動幅の拡大を防止することができる。
【００１７】
請求項４の吸収式冷温水機の複数台運転制御装置であれば、加熱量を多位置制御する吸収式冷温水機を複数台互いに並列に設け、全ての吸収式冷温水機から送出される冷媒を出口集合部により合流させて冷媒利用空間に供給し、冷媒利用空間において利用された冷媒を入口集合部により分流させて各吸収式冷温水機に供給するよう構成するとともに、出口集合部における冷媒の温度を入力として台数制御器により各吸収式冷温水機を制御するようにしたシステムにおいて、
複数台の吸収式冷温水機を運転すべきことが指示されたことに応答して、加熱量指示手段によって、出口集合部における冷媒の温度が中負荷以下に対応している場合に、台数制御器により一部の吸収式冷温水機の加熱源に対して加熱量を特定の加熱量に限定することなく動作すべきことを指示し、台数制御器により残余の吸収式冷温水機の加熱源に対して低い加熱量で動作すべきことを指示し、出口集合部における冷媒の温度が中負荷以上に対応している場合に、台数制御器により一部の吸収式冷温水機の加熱源に対して加熱量を特定の加熱量に限定することなく動作すべきことを指示し、台数制御器により残余の吸収式冷温水機のうち少なくとも１台の吸収式冷温水機の加熱源に対して高い加熱量で動作すべきことを指示させることができる。したがって、出口集合部における冷媒の温度の安定性を高めることができるとともに、出口集合部における冷媒の温度の変動幅の拡大を防止することができ、さらに、省エネルギー運転を実現することができ、しかも、吸収式冷温水機の部分負荷効率のよさを活かしてさらなる省エネルギー運転を実現することができる。
【００１８】
請求項５の吸収式冷温水機の複数台運転制御装置であれば、加熱量を多位置制御する吸収式冷温水機を複数台互いに並列に設け、全ての吸収式冷温水機から送出される冷媒を出口集合部により合流させて冷媒利用空間に供給し、冷媒利用空間において利用された冷媒を入口集合部により分流させて各吸収式冷温水機に供給するよう構成するとともに、出口集合部における冷媒の温度を入力として台数制御器により各吸収式冷温水機を制御するようにしたシステムにおいて、
複数台の吸収式冷温水機を運転すべきことが指示されたことに応答して、加熱量指示手段によって、出口集合部における冷媒の温度が中負荷以下に対応している場合に、台数制御器により一部の吸収式冷温水機の加熱源に対して高い加熱量と低い加熱量とを切り替えて動作すべきことを指示し、台数制御器により残余の吸収式冷温水機の加熱源に対して低い加熱量で動作すべきことを指示し、出口集合部における冷媒の温度が中負荷以上に対応している場合に、台数制御器により一部の吸収式冷温水機の加熱源に対して高い加熱量と低い加熱量とを切り替えて動作すべきことを指示し、台数制御器により残余の吸収式冷温水機の加熱源に対して高い加熱量で動作すべきことを指示させることができる。したがって、出口集合部における冷媒の温度の安定性を高めることができるとともに、出口集合部における冷媒の温度の変動幅の拡大を防止することができ、さらに、省エネルギー運転を実現することができ、しかも、運転−停止回数を低減し、パージロスを大幅に低減してさらなる省エネルギー運転を実現することができる。
請求項６の吸収式冷温水機の複数台運転制御装置であれば、加熱量指示手段として、１台の吸収式冷温水機を運転すべきことが指示されたことに応答して、台数制御器により該当する吸収式冷温水機の加熱源に対して加熱量を特定の加熱量に限定することなく動作すべきことを指示するものを採用するのであるから、最小限の吸収式冷温水機のみを運転することにより、出口集合部における冷媒の温度の安定性を高めることができるとともに、出口集合部における冷媒の温度の変動幅の拡大を防止することができる。
【００２１】
【発明の実施の形態】
以下、添付図面を参照してこの発明の吸収式冷温水機の複数台運転制御方法およびその装置の実施の態様を詳細に説明する。
図１は３台の吸収式冷温水機を有するシステムの構成を示す概略図である。
このシステムは、冷温水の入口集合部３１と出口集合部３２との間に３台の吸収式冷温水機１を互いに並列に設けているとともに、３台の吸収式冷温水機１からの第１冷媒（例えば、冷却水）を冷却して再び３台の吸収式冷温水機１に供給するための冷却塔３３を設けている。また、３台の吸収式冷温水機１のそれぞれに対して、起動指示信号、運転制御信号などを供給するコントローラ４を設けている。さらに、各吸収式冷温水機１の冷却水入口部には、冷却水入口温度を検出するための温度センサ（第１冷媒温度センサ）３７が予め設けられている。さらにまた、出口集合部３２には、第２冷媒の温度を検出するための温度センサ（第２冷媒温度センサ）３６が設けられている。ただし、３台の吸収式冷温水機を有するシステムに代えて、２台の吸収式冷温水機を有するシステム、４台以上の吸収式冷温水機を有するシステムを採用することが可能である。
【００２２】
なお、入口集合部３１から各吸収式冷温水機１に冷温水を供給する管路の所定位置に第１ポンプ３４を設けているとともに、冷却塔３３から各吸収式冷温水機１に冷温水を供給する管路の所定位置に第２ポンプ３５を設けている。さらに、出口集合部３２から送り出される第２冷媒（例えば、冷温水）は、管路３８を通して室内などの利用空間に導かれ、その後、入口集合部３１に導かれる。さらにまた、管路３８の所定位置に流量制御弁３８ａを設けているとともに、流量制御ユニット３８ｂを設けている。なお、３８ｃは入口集合部３１と出口集合部３２との間を連通するバイパス管路であり、入口集合部３１と出口集合部３２との間の差圧により動作する差圧スイッチ３８ｄにより制御される弁３８ｅを有している。
【００２３】
ただし、図２に示すように、冷却塔３３を各吸収式冷温水機１ごとに設ける構成を採用してもよいことはもちろんである。また、図２のシステムにおいては、各吸収式冷温水機１にポンプ制御ユニット３８ｆを設け、このポンプ制御ユニット３８ｆにより、該当する第１ポンプ３４および第２ポンプ３５を制御して第１冷媒の流量および第２冷媒の流量を制御する。
【００２４】
図３は吸収式冷温水機１の構成を概略的に示すブロック図である。
この吸収式冷温水機１は、冷温水の通る冷水管１１の一部を包囲し、かつ内部が高真空に設定された状態で水（第１冷媒）を蒸発させ、蒸発潜熱によって、冷水管１を通って蒸発器熱交換器１２’を流れる冷温水を冷却する蒸発器１２と、冷却管１３を通って吸収器熱交換器１４’を流れる冷却水で冷却された臭化リチウム水溶液により水蒸気を吸収させる吸収器１４と、水蒸気を吸収した臭化リチウム水溶液がポンプ１５によって送られ、バーナ１６によって加熱させられることにより臭化リチウム水溶液から水蒸気を分離する高温再生器１７と、高温再生器１７において水蒸気が分離された臭化リチウム水溶液が供給され、高温再生器１７において分離された水蒸気を通過させることにより、臭化リチウム水溶液からさらに水蒸気を分離し、水蒸気が分離された臭化リチウム水溶液を吸収器１４に供給する低温再生器１８と、高温再生器１７において分離された水蒸気および低温再生器１８において分離された水蒸気が供給され、冷却水管１３を通る冷却水で冷却することにより水蒸気を凝縮させて蒸発器１２に供給する凝縮器１９と、ポンプ１５により高温再生器１７に供給される、水蒸気を吸収した臭化リチウム水溶液と低温再生器１８から吸収器１４に供給される臭化リチウム水溶液との間で熱交換を行わせる低温熱交換器２０と、水蒸気を吸収した臭化リチウム水溶液と高温再生器１７から低温再生器１８に供給される臭化リチウム水溶液との間で熱交換を行わせる高温熱交換器２１と、伝熱管（冷水管）１１を通る冷温水の温度を検出する温度センサ２２と、バーナ１６による加熱量を制御する多位置制御弁２３と、温度センサ２２により検出された温度を入力として多位置制御弁２３を制御する制御信号を出力し、ドライバ２５を介して多位置制御弁２３に供給するコントローラ２４とを有している。なお、２６は蒸発器１２の底部に溜まる水を循環させ、再び伝熱管１１上に散布するためのポンプである。
【００２５】
前記多位置制御弁２３としては、例えば、３位置制御弁が採用されている。ただし、多位置制御弁２３として、例えば、２位置制御弁、４位置制御弁などを採用することが可能である。
前記バーナ１６に代えて、蒸気などの廃熱を利用する加熱源などを採用することが可能である。
【００２６】
さらに、低温再生器１８を省略することが可能であるほか、吸収式冷温水機としては、種々の構成のものを採用することが可能である。
なお、上記の構成の吸収式冷温水機の作用は従来公知であるから、作用の説明を省略する。
図４はコントローラ（加熱量指示手段、台数制御器）４の構成を概略的に示すブロック図である。
【００２７】
このコントローラ４は、温度センサ３６により検出された、出口集合部３２における第２冷媒の温度を入力として負荷計算を行う負荷計算部４１と、計算された負荷を入力として吸収式冷温水機の運転台数および加熱量を計算する台数・加熱量計算部４２と、計算された運転台数および加熱量を入力として、各吸収式冷温水機１のコントローラ２４に対して運転指示信号および加熱量限定指示信号を算出して送出する信号送出部４３とを有している。
【００２８】
図５は各吸収式冷温水機１のコントローラ２４の構成を概略的に示すブロック図である。
このコントローラ２４は、台数・加熱量計算部４２から送出された運転台数および加熱量を入力として該当する吸収式冷温水機１の運転が指示されているか否かを判定する第１判定部２４ａと、第１判定部２４ａにより該当する吸収式冷温水機１の運転が指示されていると判定されたことに応答して加熱量が限定されているか否かを判定する第２判定部２４ｂと、第２判定部２４ｂによる判定結果に応答して該当する加熱量に対応させるべくバーナ１６を制御するとともに、第１判定部２４ａにより該当する吸収式冷温水機１の運転が指示されていないと判定されたことに応答してバーナ１６を停止させるバーナ制御部２４ｃとを有している。
【００２９】
図６、図７は、それぞれコントローラ４、コントローラ２４の処理を説明するフローチャートである。
先ず、図６のフローチャートを説明する。
ステップＳＰ１において、出口集合部３２における冷温水の温度を温度センサ３６から取り込み、ステップＳＰ２において、取り込んだ冷温水の温度から負荷の計算を行い（この計算は従来公知であり、例えば、各吸収式冷温水機１の低い加熱量−高い加熱量−低い加熱量の周期によるサンプリングを行い、サンプリング期間中最大出力が与えられた場合の値、例えば積分値、に対するサンプリング期間中における実際の出力に基づく値、例えば積分値の割合を負荷率として得る）、ステップＳＰ３において、計算された負荷から吸収式冷温水機１の運転台数および加熱量の計算を行い、ステップＳＰ４において、計算された運転台数および加熱量から各吸収式冷温水機１に対する運転指示信号および加熱量限定指示信号を送出し、そのまま一連の処理を終了する。
【００３０】
ステップＳＰ３における運転台数および加熱量の計算は、例えば、冷温水の温度の設定温度からのずれおよび冷温水の流量に基づいて加熱量を計算し、計算された加熱量に基づいて運転台数を計算することにより行われる。そして、加熱量限定指示信号は次のように設定される。吸収式冷温水機１の運転台数が１台の場合には、加熱量限定指示信号によって加熱量を全く限定しないことを指示する。逆に、吸収式冷温水機１の運転台数が複数台の場合には、加熱量限定指示信号によって、１台の吸収式冷温水機１の加熱量を全く限定しないことを指示するとともに、残余の吸収式冷温水機１の加熱量を、高い加熱量に設定し、低い加熱量に設定し、または高い加熱量と低い加熱量とを切り替えるべく設定することを指示する。
【００３１】
次いで、図７のフローチャートを説明する。
ステップＳＰ１において、該当する運転指示信号および加熱量限定指示信号を受取り、ステップＳＰ２において、吸収式冷温水機１を運転すべきことが指示されているか否かを判定する。そして、吸収式冷温水機１を運転すべきことが指示されていない場合には、ステップＳＰ３において、該当する吸収式冷温水機１の運転を停止する。逆に、ステップＳＰ２において吸収式冷温水機１を運転すべきことが指示されていると判定された場合には、ステップＳＰ４において、加熱量限定指示信号を判定し、判定結果に応答して、ステップＳＰ５において、バーナ１６による加熱量を高い加熱量に限定すべきことを指示し、ステップＳＰ６において、バーナ１６による加熱量を高い加熱量と低い加熱量とを切り替えるべく限定すべきことを指示し、またはステップＳＰ７において、バーナ１６による加熱量を全く限定しないことを指示する。そして、ステップＳＰ３、ステップＳＰ５、ステップＳＰ６、またはステップＳＰ７の処理が行われた場合には、そのまま一連の処理を終了する。
【００３２】
図８、図９は負荷に対応する運転状態を示す図である。ただし、図８はこの発明の運転制御方法に対応し、図９は従来のバーナ同期制御法に対応している。なお、図８および図９は共に台数制御を行う場合に対応している。したがって、両者共に負荷の増加に対応して運転台数が増加している。さらに、図８および図９に比例制御に対応する場合を破線で示している。
【００３３】
この発明の運転制御方法を採用した場合には、図８に示すように、運転台数が１台である場合に、加熱量限定が全くない状態で運転されるので｛図８のうち、最も左側のみを参照｝、負荷が小さければ運転停止／低い加熱量での運転（Ｌ／０）が行われ、負荷が大きければ低い加熱量での運転／高い加熱量での運転（Ｈ／Ｌ）が行われる。運転台数が２台である場合に、１台は加熱量を高い加熱量（Ｈ）に限定した状態で運転され、他の１台は加熱量限定が全くない状態で運転されるので｛図８のうち、中央のみを参照｝、他の１台は、負荷が小さければ運転停止／低い加熱量での運転（Ｌ／０）が行われ、負荷が大きければ低い加熱量での運転／高い加熱量での運転（Ｈ／Ｌ）が行われる。運転台数が３台である場合に、２台は加熱量を高い加熱量に限定した状態で運転され、残余の１台は加熱量限定が全くない状態で運転されるので｛図８のうち、最も右側のみを参照｝、残余の１台は、負荷が小さければ運転停止／低い加熱量での運転（Ｌ／０）が行われ、負荷が大きければ低い加熱量での運転／高い加熱量での運転（Ｈ／Ｌ）が行われる。
【００３４】
これに対して、従来のバーナ同期制御法を採用した場合には、図９に示すように、運転台数が１台である場合に、加熱量限定が全くない状態で運転されるので、負荷が小さければ運転停止／低い加熱量での運転が行われ、負荷が大きければ低い加熱量での運転／高い加熱量での運転が行われる。運転台数が２台である場合に、両吸収式冷温水機は低い加熱量での運転／高い加熱量での運転が行われる。運転台数が３台である場合に、全ての吸収式冷温水機は低い加熱量での運転／高い加熱量での運転が行われる。
【００３５】
図８と図９とを比較すれば、運転台数が１台である場合の運転状態は互いに等しい。しかし、運転台数が２台、３台である場合には、能力変動範囲（図８、図９において縦の破線が施された領域）が両者の間で著しく異なる。すなわち、図８の場合の方が、能力変動範囲を小さくできていることが分かる。この結果、この発明の運転制御方法を採用することにより、出口集合部３２における冷温水の温度制御性を向上させることができることが分かる。
【００３６】
以上には、加熱量を高い加熱量に限定した場合について説明したが、加熱量を低い加熱量に限定することも可能であり、加熱量を低い加熱量に限定することを図８に追加すれば、よりきめ細かく出口集合部３２における冷温水の温度を制御することができる。また、図８において加熱量限定がなかった吸収式冷温水機を低い加熱量での運転／高い加熱量での運転を行わせるべく加熱量限定を行わせれば、運転／停止回数を大幅に低減し、パージロスを最小限に抑制して一層の省エネルギー運転を実現することができる。
【００３７】
【発明の効果】
請求項１の発明は、出口集合部における冷媒の温度の安定性を高めることができるとともに、出口集合部における冷媒の温度の変動幅の拡大を防止することができ、さらに、省エネルギー運転を実現することができ、しかも吸収式冷温水機の部分負荷効率のよさを活かしてさらなる省エネルギー運転を実現することができるという特有の効果を奏する。
００３８段落を次のとおり補正する。
【００３８】
請求項２の発明は、出口集合部における冷媒の温度の安定性を高めることができるとともに、出口集合部における冷媒の温度の変動幅の拡大を防止することができ、さらに、省エネルギー運転を実現することができ、しかも運転−停止回数を低減し、パージロスを大幅に低減してさらなる省エネルギー運転を実現することができるという特有の効果を奏する。
請求項３の発明は、請求項１または請求項２の効果に加え、最小限の吸収式冷温水機のみを運転することにより、出口集合部における冷媒の温度の安定性を高めることができるとともに、出口集合部における冷媒の温度の変動幅の拡大を防止することができるという特有の効果を奏する。
【００３９】
請求項４の発明は、出口集合部における冷媒の温度の安定性を高めることができるとともに、出口集合部における冷媒の温度の変動幅の拡大を防止することができ、さらに、省エネルギー運転を実現することができ、しかも吸収式冷温水機の部分負荷効率のよさを活かしてさらなる省エネルギー運転を実現することができるという特有の効果を奏する。
００４０段落を次のとおり補正する。
【００４０】
請求項５の発明は、出口集合部における冷媒の温度の安定性を高めることができるとともに、出口集合部における冷媒の温度の変動幅の拡大を防止することができ、さらに、省エネルギー運転を実現することができ、しかも運転−停止回数を低減し、パージロスを大幅に低減してさらなる省エネルギー運転を実現することができるという特有の効果を奏する。
請求項６の発明は、請求項４または請求項５の効果に加え、最小限の吸収式冷温水機のみを運転することにより、出口集合部における冷媒の温度の安定性を高めることができるとともに、出口集合部における冷媒の温度の変動幅の拡大を防止することができるという特有の効果を奏する。
【図面の簡単な説明】
【図１】３台の吸収式冷温水機を有するシステムの構成を示す概略図である。
【図２】図１のシステムの変更例を示す概略図である。
【図３】吸収式冷温水機の構成を概略的に示すブロック図である。
【図４】コントローラ４の構成を概略的に示すブロック図である。
【図５】コントローラ２４の構成を概略的に示すブロック図である。
【図６】コントローラ４の処理を説明するフローチャートである。
【図７】コントローラ２４の処理を説明するフローチャートである。
【図８】この発明の運転制御方法による運転状態の変化を説明する図である。
【図９】従来のバーナ同期制御法による運転状態の変化を説明する図である。
【図１０】従来の加熱量制御方法の一例を説明する図である。
【図１１】従来の加熱量制御方法の他の例を説明する図である。
【符号の説明】
１  吸収式冷温水機    ４  コントローラ
１６  バーナ    ３１  入口集合部
３２  出口集合部
【図１】
0003695087.tif 000002
【図２】
0003695087.tif 000003
【図３】
0003695087.tif 000004
【図４】
0003695087.tif 000005
【図５】
0003695087.tif 000006
【図６】
0003695087.tif 000007
【図７】
0003695087.tif 000008
【図８】
0003695087.tif 000009
【図９】
0003695087.tif 000010
【図１０】
0003695087.tif 000011
【図１１】
0003695087.tif 000012